(57)【要約】【課題】          紙箱を簡単に分解及び組立可能とさせて、この紙箱に収納するケーキ等の収容物や保冷体などの付属収納物の収納作業の容易化を図ると共に、収納後の収容物や付属収納物の確実な収納保持を可能とさせる。【解決手段】      相互に隣接させる容器側壁の一方の折曲部材に係止片を他方の折曲部材に係止片の係合する係合孔を形成させ、これら係止片と係合孔の係合によって側壁の立設保持を図る。【選択図】        図５
2005162285.tif 000002
【特許請求の範囲】
【請求項１】
相互に隣接させる容器側壁の一方の折曲部材に係止片を他方の折曲部材に係止片の係合する係合孔を形成させ、これら係止片と係合孔の係合によって側壁の立設保持を図ることを特徴とする紙箱。
【請求項２】
容器側壁の一方の折曲部材に重合させる折畳部材を備え、これら折曲部材と折畳部材間に他方の折曲部材を挿入させて側壁を立設させると共に、何れか一方の折曲部材に係止片を他方の折曲部材に係合孔を形成させたことを特徴とする請求項１記載の紙箱。
【発明の詳細な説明】
【技術分野】
【０００１】
本発明は低温度に保つ必要のあるケーキなど保冷食品を収納する紙箱に関する。  
【背景技術】
【０００２】
低温度下で持ち運びする必要のあるケーキなど生菓子類を収納する紙箱にあっては、生菓子類の悪化を防ぐため、アイスパック（水や保冷剤をビニールシートで密封包装したパック状のものを凍らせたもの）やドライアイスなどの保冷体を生菓子類と一緒に紙箱にすることは従来より行われており、紙箱内全体を効率的に冷やす技術として、保冷体を収納する収容ケースを箱内の天井部分に収容保持する技術がある。（例えば特許文献１参照）
【０００３】
【特許文献１】実用新案登録第３０８７１７３号公報
【発明の開示】
【発明が解決しようとする課題】
【０００４】
しかし乍ら、上記の如き紙箱の場合、保冷体を収納する収容ケースを紙箱と別体に必要とするばかりでなく、紙箱にケーキ等収容物の収容時にはその都度収容ケースを取付ける手間の煩らわしさがあり、また収容ケースを取付けた場合その分紙箱内の収容スペースが小さくなるなどして収容ケースで収容物を損傷させるなどの不都合も発生する。
【０００５】
またこのような収納ケースをデコレーションケーキなどの食品に用いる上下分離式紙箱の蓋ケースに必要時に取付ける場合、蓋ケースを簡単に分離や組立を行う必要があるばかりでなく、組立後は確実に箱の立設形状を保持させる必要がある。
【課題を解決するための手段】
【０００６】
本発明は、相互に隣接させる容器側壁の一方の折曲部材に係止片を他方の折曲部材に係止片の係合する係合孔を形成させ、これら係止片と係合孔の係合によって側壁の立設保持を図るものである。
【０００７】
また、容器側壁の一方の折曲部材に重合させる折畳部材を備え、これら折曲部材と折畳部材間に他方の折曲部材を挿入させて側壁を立設させると共に、何れか一方の折曲部材に係止片を他方の折曲部材に係合孔を形成させたものである。
【発明の効果】
【０００８】
したがって本発明は、相互に隣接させる容器側壁の一方の折曲部材に係止片を他方の折曲部材に係止片の係合する係合孔を形成させ、これら係止片と係合孔の係合によって側壁の立設保持を図ることによって、紙箱を簡単に分離及び組立可能とさせて、ケーキ等の収容物や保冷体など付属収納物を箱内に収納する作業の容易化と、箱収納後の確実な収納保持を図るものである。
【０００９】
また、容器側壁の一方の折曲部材に重合させる折畳部材を備え、これら折曲部材と折畳部材間に他方の折曲部材を挿入させて側壁を立設させると共に、何れか一方の折曲部材に係止片を他方の折曲部材に係合孔を形成させたことによって、容器側壁を立設保持させるための別途係合部材など設ける必要なく、既存構造の紙箱に係止片及び係合孔を形成させるだけの簡単な構造で、収容物や収納物などの収納の容易化と収納後の確実な保持を図るものである。
【発明を実施するための最良の形態】
【００１０】
以下、本発明の実施例を図面に基づいて詳述する。
【００１１】
図１は本発明に係る紙箱の斜視図、図２は同紙箱の蓋ケースの展開説明図であり、デコレーションケーキなどの食品を包装収納する紙箱１は、下部収納ケース２と、該収納ケース２に開閉自在に嵌合させる蓋ケース３とを備えている。
【００１２】
図２に示す如く、前記蓋ケース３は一枚の台紙４から成り、中央４角形の上蓋板５の４方側縁に各折り目６・７及び８・９を介し前後及び左右に対向させる４角形の側壁１０・１１及び１２・１３を連設させ、左右側壁１２・１３の外端縁に折り目１４・１５を介し接着片１６・１７を連設させ、前後側壁１０・１１の外端縁に折り目１８・１９を介し接着片２０・２１を連設させると共に、前後側壁１０・１１の左右端縁に折り目２２・２３及び２４・２５を介し側壁１０・１１内面に中央部接合固定させる設着片２６・２７及び２８・２９を連設させ、左右側壁１２・１３の前後側縁に折り目３０・３１及び３２・３３を介し接合片３４・３５及び３６・３７を連設させ、隣接する接着片及び接合片２６・３４及び２７・３６及び２８・３５及び２９・３７間に斜状の切り目３８・３９・４０・４１を形成させている。
【００１３】
また、接着片２６・２７の前側縁及び接着片２８・２９の後側縁に切り目４２・４３・４４・４５を介し係止片４６・４７・４８・４９を形成させると共に、蓋ケース３の組立時に各接着片２０・２１の左右両側及び接合片３４〜３７の左右外側端側の係止片４６〜４９を臨ませる位置に係合用孔５０及び係合孔５１をそれぞれ形成させ、各係止片４６〜４９には箱内方向に先端側を若干立ち上がらせる折り目５２を形成させている。
【００１４】
さらに、不織布・レーヨンなど形成する４角形のシート部材５３の３辺外側端部５３ａを上蓋板５と側壁１０との内面に接着固定させるもので、上蓋板５の大部分を覆う状態にシート部材５３の３辺外側端部５３ａを接着させると共に、折り目６より若干中央寄りの側壁１０に残り１辺の外側端部を非接着の開放部５４に形成させ、上蓋板５及び側壁１０とシート部材５３中央部間に密着しない保冷体５５などの収納スペース５６を形成させて、開放部５４を収納スペース５６に対する保冷体５５などの出し入れ口に設けて、収納スペース５６に対し開放部５４を介し保冷体５５などを出し入れするように形成している。
【００１５】
また、前記シート部材５３の３辺外側端部５３ａの接着部となる凹形状両端を中央方向にＬ形状に折曲げて、開放部５４の左右両側に開放側の接着端部５３ｂを形成して、側壁１０に対するシート部材５３の開放部５４の接着強度を向上させてシート部材５３が剥れることのない確実な接着固定を図ると共に、保冷体５５の収納スペース５６への収納時には接着端部５３ｂによって保冷体５５の自然飛び出しなど困難とさせた保冷体５５の良好な収納保持を図る。
【００１６】
そして図３に示す如く、折り目１４・１５を介して接着片１６・１７を内側に折り畳んで接着剤などによって側壁１２・１３内面に接着１６ａ・１７ａさせ、次ぎに折り目２２〜２５を介して接着片２６〜２９を内側に折り畳んで側壁１０・１１内面に接着片２６〜２９の内面略中央部をそれぞれ接着２６ａ・２７ａ・２８ａ・２９ａさせて重ね合わせると共に、折り目１８・１９を介して接着片２０・２１を折り畳んで接着片２６〜２９の上側より側壁１０・１１内面に接着片２０・２１の内面略中央部をそれぞれ接着２０ａ・２１ａさせて重ね合わせる。
【００１７】
その後図４に示す如く、折り目６〜９を介して各側壁１０〜１３を内側に略９０度折り曲げるとき各側壁１０〜１３を起立させ、次ぎに図５・図６に示す如く接着片２０と接着片２６・２７間及び接着片２１と接着片２８・２９間の隙間に各接合片３４・３６及び３５・３７の上端係合孔５１側を挿入させるとき、各係止片４６〜４９の折り目５２より若干立ち上がらせる先端部を各係合孔５１に突入係合させる状態とさせて、各接合片３４・３６及び３５・３７が接着片２０と接着片２６・２７間及び接着片２１と接着片２８・２９間より抜け出るのを阻止し、側壁１０〜１３の起立状態を保持させて組立てられた蓋ケース３の立設形状を保つものである。
【００１８】
上記の如く、組立てられた紙箱１にデコレーションケーキ・シュークリーム・プリンなどの生菓子を収納すると共に、アイスパック（水やジェル状の保冷剤をプラスチック製の柔軟性シートで密封包装したパック状のものを凍らせたもの）或いはドライアイス等の保冷体５５を前記開放部５４より上蓋板５内側の収納スペース５６内に挿入保持させて、紙箱１の天井部分からの保冷体５５による冷気を降下させて、冷気のシャワー効果で紙箱１内に収納する生菓子を効率良く冷やして品質を保持させる。
【００１９】
また、図６にも示す如く、上述の如き収納スペース５６に対する保冷体５５の収納保持中にあっては、上蓋板５に対し略直角状に折り畳まれた側壁１０で開放部５４が塞がれた状態となって、収納スペース５６からの保冷体５５の抜出しが阻止され、別途の規制手段など設けることなく保冷体５５の確実な収納保持を図ることができる。
【００２０】
さらに、保冷体５５を収納するシート部材５３に不織布を用いることによって、シート部材５３の表面に結露を発生させ、生菓子などの収納食品に水を滴下させて商品価値を低下させるなどの不都合の防止が図れる。
【００２１】
また、シート部材５３で形成する収納スペース５６には保冷体５５以外にもローソク・ティッシュペーパー・合成樹脂製ケーキカッタなど各種必要商品の収納を可能とさせるものである。
【００２２】
なお、前述実施例においては各側壁１０〜１３と接着片２６〜２９とを接着２６ａ・２７ａ・２８ａ・２９ａさせる構成を示したが、接着２６ａ〜２９ａしないで単に折畳むだけの構成でも良い。
【００２３】
また、接合片３４〜３７に係止片４６〜４９を形成させ、接着片２０・２１或いは接着片２６〜２９の何れか一方に係合孔５１を設ける構成でも良い。
【００２４】
さらに前述実施例においては、各接着片２６〜２９と接合片３４〜３７間に切り目３８〜４１を形成させて分離させた構成を示したが、図９・図１０に示す如く、各接着片２６〜２９と接合片３４〜３７間にミシン目３８ａ・３８ｂ及び３９ａ・３９ｂ及び４０ａ・４０ｂ及び４１ａ・４１ｂ或いは折り目や切欠孔３８ｃ・３９ｃ・４０ｃ・４１ｃなど形成させて、各接着片２６〜２９と接合片３４〜３７間を連結させる構成でも良く、該構成の場合各接着片２６〜２９内面と側壁１０・１１内面とを接着２６ａ・２７ａ・２８ａ・２９ａさせて図１０に示す如く上蓋板５内面に左右側壁１２・１３を重ね合わせる状態に折畳み、この左右側壁１２・１３を起立させるときには各接合片３４〜３７及び接着片２６〜２９を介して前後側壁１０・１１も連動起立させて蓋ケース３組立時の容易化を図ることができる。
【００２５】
上記からも明らかなように、相互に隣接させる容器側壁１０〜１３の一方の折曲部材である係止片２６〜２９に係止片４６〜４９を他方の折曲部材である接合片３４〜３７に係合孔５１を形成させ、これら係止片４６と係合孔５１の係合によって側壁１０〜１３の立設保持を図るもので、この側壁１０〜１３を有する紙箱１（蓋ケース３）を簡単に分解及び組立可能とさせて、ケーキ等の収容物や保冷体５５などの付属収納物を箱１内に収納する作業の容易化と、箱１収納後の収容物などの確実な収納保持を図ることができる。
【００２６】
また、容器側壁１０〜１３の一方の接着片２６〜２９に重合させる折畳部材である接着片２０・２１を備え、これら接着片２６〜２９と接着片２０・２１間に他方の接合片３４〜３７を挿入させて側壁１０〜１３を立設させると共に、何れか一方の接着片２６〜２９に係止片４６〜４９を他方の接合片３４〜３７に係合孔５１を形成させたもので、容器側壁１０〜１３を立設保持させるための別途係合部材など設ける必要なく、既存構造の紙箱１に係止片４６〜４９及び係合孔５１を形成させるだけの簡単な構造で、収容物や収納物などの収納の容易化と収納後の確実な保持を図ることができる。
【図面の簡単な説明】
【００２７】
【図１】紙箱の斜視説明図。
【図２】蓋ケースの展開説明図。
【図３】蓋ケースの接着状態説明図。
【図４】蓋ケースの斜視説明図。
【図５】蓋ケースの組立状態の説明図。
【図６】蓋ケースの断面説明図。
【図７】蓋ケースの断面説明図。
【図８】蓋ケースの平面より見た断面説明図。
【図９】蓋ケースの他の展開説明図。
【図１０】蓋ケースの他の折畳み説明図。
【符号の説明】
【００２８】
１０・１１・１２・１３    側壁
２０・２１                接着片（折畳部材）
２６・２７・２８・２９    接着片
３４・３５・３６・３７    接合片（折曲部材）
４６・４７・４８・４９    係止片
５１                      係合孔
【図１】
2005162285.tif 000003
【図２】
2005162285.tif 000004
【図３】
2005162285.tif 000005
【図４】
2005162285.tif 000006
【図５】
2005162285.tif 000007
【図６】
2005162285.tif 000008
【図７】
2005162285.tif 000009
【図８】
2005162285.tif 000010
【図９】
2005162285.tif 000011
【図１０】
2005162285.tif 000012